【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
溶融加工可能な有機材料の加工安定性を強化するための方法であって、
式（Ｖ）：
【化１】
2015529692.tif 000001
（式中、
Ｒ21は、ＣＯＲ28またはＳｉ（Ｒ29）3（式中、Ｒ28は、ＨまたはＣ1〜Ｃ20ヒドロカルビルから選択され；そしてＲ29は、Ｃ1〜Ｃ12ヒドロカルビルまたはアルコキシから選択される）から選択され；
Ｒ22は、式Ｖの芳香族部分のｎ＝０〜３個の位置で同じまたは異なり得、そして、独立して、ＨまたはＣ1〜Ｃ12ヒドロカルビルから選択される置換基であり；
Ｒ23は、ＨまたはＣ1〜Ｃ12ヒドロカルビルから選択され；
Ｒ24は、ＨまたはＣ1〜Ｃ20ヒドロカルビルから選択され；および
Ｒ25〜Ｒ27の各々は、独立して、Ｈ；Ｃ1〜Ｃ12ヒドロカルビル；およびＯＲ30（式中、Ｒ30は、ＨまたはＣ1〜Ｃ12ヒドロカルビルから選択される）から成る群から選択されるメンバーから選択され；および
Ｒ27は、Ｈ、またはＲ26と一緒になって＝Ｏを形成する結合である）
に記載のクロマン系化合物を含んでなる加工用添加剤の有効量を、前記有機材料の加工前または加工中に前記有機材料に添加することを含んでなる、上記方法。
【請求項２】
前記有機材料が、ポリオレフィン類、ポリエステル類、ポリエーテル類、ポリケトン類、ポリアミド類、天然ゴムおよび合成ゴム、ポリウレタン類、ポリスチレン類、高衝撃ポリスチレン類、ポリアクリレート類、ポリメタクリレート類、ポリアセタール類、ポリアクリロニトリル類、ポリブタジエン類、アクリロニトリルブタジエンスチレン樹脂、スチレンアクリロニトリル樹脂、アクリレートスチレンアクリロニトリル樹脂、酢酸酪酸セルロース樹脂、セルロース系重合体、ポリイミド類、ポリアミドイミド類、ポリエーテルイミド類、ポリフェニルスルフィド類、ポリフェニルオキシドポリスルホン類、ポリエーテルスルホン類、塩化ポリビニル類、ポリカーボネート類、ポリケトン類、脂肪族ポリケトン類、熱可塑性オレフィン類、架橋ポリアクリレートおよびポリエステル含有アミノ樹脂、架橋ポリエステルおよびポリアクリレート含有ポリイソシアネート、フェノール／ホルムアルデヒド樹脂、尿素／ホルムアルデヒド樹脂およびメラミン／ホルムアルデヒド樹脂、乾燥および非乾燥アルキッド樹脂、アルキッド樹脂、ポリエステル樹脂、メラミン樹脂架橋アクリレート樹脂、尿素樹脂、イソシアネート類、イソシアヌレート類、カルバメート類、エポキシ樹脂、酸無水物類またはアミン類と架橋した脂肪族、環式脂肪族、複素環式および芳香族グリシジル化合物由来の架橋エポキシ樹脂、ポリシロキサン類、マイケル付加重合体、アミン類、活性不飽和およびメチレン化合物を有するブロックドアミン類、活性不飽和およびメチレン化合物を有するケチミン類、不飽和アクリル系ポリアセトアセテート樹脂と組み合わせたポリケチミン類、不飽和アクリル系樹脂と組み合わせたポリケチミン類、放射線硬化型組成物、エポキシメラミン樹脂、有機染料類、化粧品、セルロース系紙処方物、写真用フィルム用紙、繊維、ワックス類およびインク類から成る群から選択される、請求項１に記載の方法。
【請求項３】
前記有機材料が、ｉ）ポリプロピレン、ポリイソブチレン、ポリブタ−１−エン、ポリ−４−メチルペンタ−１−エンから選択されるモノオレフィンの重合体；ｉｉ）ポリイソプレンまたはポリブタジエンから選択されるジオレフィン類；ｉｉｉ）シクロペンテン、およびノルボルネンから選択されるシクロオレフィン類の重合体；ｉｖ）架橋していてもよいポリエチレン、高密度ポリエチレン（ＨＤＰＥ）、高密度高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、直鎖低密度ポリエチレン（ＬＬＤＰＥ）、超低密度ポリエチレン（ＶＬＤＰＥ）、および超低密度ポリエチレン（ＵＬＤＰＥ）から選択されるポリエチレン；その共重合体；およびｖｉ）その混合物、から成る群から選択されるポリオレフィン重合体である、請求項１または２に記載の方法。
【請求項４】
前記加工用添加剤が、
ｉ）式１〜７：
【化２】
2015529692.tif 000002
【化３】
2015529692.tif 000003
（式中、指標は、整数でありおよび
ｎは、２、３または４であり；ｐは、１または２であり；ｑは、２または３であり；ｒは、４〜１２であり、ｙは、１、２または３であり；そしてｚは、１〜６であり；Ａ1は、もし、ｎが２ならば、Ｃ2〜Ｃ18アルキレン；酸素、硫黄または−ＮＲ4−により割り込みされたＣ2〜Ｃ12アルキレン；式
【化４】
2015529692.tif 000004
のラジカルまたはフェニレンであり；
Ａ1は、もし、ｎが３ならば、式−ＣrＨ2r-1−のラジカルであり；
Ａ1は、もし、ｎが４ならば、
【化５】
2015529692.tif 000005
であり；
Ｂは、直接の結合、−ＣＨ2−、−ＣＨＲ4−、−ＣＲ1Ｒ4−、硫黄、Ｃ5〜Ｃ7シクロアルキリデン、または３位、４位および／または５位の位置で１〜４個のＣ1〜Ｃ4アルキルラジカルで置換されたシクロヘキシリデンであり；
Ｄ1は、もし、ｐが１ならば、Ｃ1〜Ｃ4アルキルであり、そして、もし、ｐが２ならば、−ＣＨ2ＯＣＨ2−であり；
Ｄ2は、Ｃ1〜Ｃ4アルキルであり；
Ｅは、もし、ｙが１ならば、Ｃ1〜Ｃ18アルキル、−ＯＲ1またはハロゲンであり；
Ｅは、もし、ｙが２ならば、−Ｏ−Ａ2−Ｏ−であり、ここでＡ2はｎが２である時のＡ1と同じであり；
Ｅは、もし、ｙが３ならば、式Ｒ4Ｃ（ＣＨ2Ｏ−）3またはＮ（ＣＨ2ＣＨ2Ｏ−）3のラジカルであり；
Ｑは、少なくともｚ価の一価若しくは多価のアルコールまたはフェノールのラジカルであって、このラジカルが、前記一価若しくは多価のアルコールまたはフェノールのＯＨ基の酸素原子を介してリン原子と結合しているラジカルであり；
Ｒ1，Ｒ2およびＲ3は、お互いに独立して、ハロゲン、−ＣＯＯＲ4、−ＣＮもしくは−ＣＯＮＲ4Ｒ4により非置換もしくは置換されたＣ1〜Ｃ18アルキル；酸素、硫黄または−ＮＲ4−により割り込みされたＣ2〜Ｃ18アルキル；Ｃ7〜Ｃ9フェニルアルキル；Ｃ5〜Ｃ12シクロアルキル、フェニルもしくはナフチル；ハロゲン、１〜１８個の総炭素原子数を有する１〜３個のアルキルラジカルもしくはアルコキシラジカルまたはＣ7〜Ｃ9フェニルアルキルにより置換されたナフチルもしくはフェニル；または式
【化６】
2015529692.tif 000006
（式中、ｍは、３〜６の範囲からの整数である）
のラジカルであり；
Ｒ4は、水素、Ｃ1〜Ｃ8アルキル、Ｃ5〜Ｃ12シクロアルキルまたはＣ7〜Ｃ9フェニルアルキルであり、
Ｒ5およびＲ6は、互いに独立して、水素、Ｃ1〜Ｃ8アルキルまたはＣ5〜Ｃ6シクロアルキルであり、
Ｒ7およびＲ8は、もし、ｑが２ならば、互いに独立して、Ｃ1〜Ｃ4アルキルまたは一緒になって、２，３−デヒドロペンタメチレンラジカルであり；そして
Ｒ7およびＲ8は、もし、ｑが３ならば、メチルであり；
Ｒ14は各々の場合に、水素、Ｃ1〜Ｃ9アルキルまたはシクロヘキシルから独立して選択され、
Ｒ15は各々の場合に、水素またはメチルから独立して選択され、
ＸおよびＹは、各々、直接の結合または酸素であり、
Ｚは、直接の結合、メチレン、−Ｃ（Ｒ16）2−または硫黄であり、および
Ｒ16は、Ｃ1〜Ｃ8アルキルである）
に記載の化合物；
ｉｉ）  式８：
【化７】
2015529692.tif 000007
（式中、Ｒ17は、式８の芳香族部分の０〜５個の位置で同じまたは異なる置換基であり、独立して、Ｃ1〜Ｃ20アルキル、Ｃ3〜Ｃ20シクロアルキル、Ｃ4〜Ｃ20アルキルシクロア
ルキル、Ｃ6〜Ｃ10アリール、およびＣ7〜Ｃ20アルキルアリールから成る群から選択されるメンバーから選択される）
に記載のトリスアリールホスフィット；および
ｉｉｉ）  （ｉ）および（ｉｉ）の組み合わせ、
から成る群から選択される少なくとも１つの有機ホスフィットまたはホスホニトをさらに含む、請求項１〜３のいずれか１に記載の方法。
【請求項５】
前記有機ホスフィットまたはホスホニトが、トリフェニルホスフィット；ジフェニルアルキルホスフィット；フェニルジアルキルホスフィット；トリラウリルホスフィット；トリオクタデシルホスフィット；ジステアリルペンタエリスリトールホスフィット；トリス（２，４−ジ−ｔｅｒｔ−ブチルフェニル）ホスフィット；トリス（ノニルフェニル）ホスフィット；式（Ａ）、（Ｂ）、（Ｃ）、（Ｄ）、（Ｅ）、（Ｆ）、（Ｇ）、（Ｈ）、（Ｊ）、（Ｋ）および（Ｌ）の化合物：
【化８】
2015529692.tif 000008
【化９】
2015529692.tif 000009
【化１０】
2015529692.tif 000010
【化１１】
2015529692.tif 000011
【化１２】
2015529692.tif 000012
【化１３】
2015529692.tif 000013
【化１４】
2015529692.tif 000014
【化１５】
2015529692.tif 000015
【化１６】
2015529692.tif 000016
【化１７】
2015529692.tif 000017
【化１８】
2015529692.tif 000018
２−ブチル２−エチル−１、３−プロパンジオール２、４、６−トリ−ｔ−ブチルフェノールホスフィット、ビス−（２、６−ジ−ｔ−ブチル４−メチルフェニル）ペンタエリスリトールジホスフィット、２−ブチル２−エチル−１、３−プロパンジオール２、４−ジ−クミルフェノール  ホスフィット、２−ブチル２−エチル−１、３−プロパンジオール４−メチル−２、６−ジ−ｔ−ブチルフェノールホスフィット、およびビス−（２、４、６−トリ−ｔ−ブチルフェニル）ペンタエリスリトールジホスフィットから成る群から選択される、請求項４に記載の方法。
【請求項６】
前記加工用添加剤が、
式（ＩＶａ）、（ＩＶｂ）、または（ＩＶｃ）：
【化１９】
2015529692.tif 000019
（式中、
Ｒ18は、水素またはＣ1〜4ヒドロカルビルから選択され；
Ｒ19およびＲ20の各々は、独立して、水素またはＣ1〜Ｃ20ヒドロカルビルから選択され；および
Ｒ37は、Ｃ1〜Ｃ12ヒドロカルビルから選択される）
の１つ以上に記載の分子フラグメントを有する、少なくとも１つのヒンダードフェノール化合物をさらに含む、請求項１〜５のいずれか１に記載の方法。
【請求項７】
前記少なくとも１つのヒンダードフェノール化合物が、（１，３，５−トリス（４−ｔ−ブチル３−ヒドロキシ−２，６−ジメチルベンジル）−１，３，５−トリアジン−２，４，６−（１Ｈ，３Ｈ，５Ｈ）−トリオン；１，１，３−トリス（２’−メチル−４’−ヒドロキシ−５’−ｔ−ブチルフェニル）ブタン；トリエチレングリコールビス［３−（３−ｔ−ブチル４−ヒドロキシ−５−メチルフェニル）プロピオネート］；４，４’−チオビス（２−ｔ−ブチル５−メチルフェノール）；２，２’−チオジエチレンビス［３−（３−ｔ−ブチル４−ヒドロキシル−５−メチルフェニル）プロピオネート］；オクタデシル３−（３’−ｔ−ブチル４’−ヒドロキシ−５’−メチルフェニル）プロピオネート；テトラキスメチレン（３−ｔ−ブチル４−ヒドロキシ−５−メチルヒドロシンナメート）メタン；Ｎ，Ｎ’−ヘキサメチレンビス［３−（３−ｔ−ブチル４−ヒドロキシ−５−メチルフェニル）プロピオンアミド］；ジ（４−第三級ブチル−３−ヒドロキシ−２，６−ジメチルベンジル）チオジプロピオネート；およびオクタデシル３，５−ジ−（ｔｅｒｔ）−ブチル４−ヒドロキシヒドロシンナメートから成る群から選択される、請求項６に記載の方法。
【請求項８】
式（Ｖ）の化合物のＲ22が、少なくとも１つの場合に存在して、メチルである、請求項１〜７のいずれか１項に記載の方法。
【請求項９】
式（Ｖ）の化合物のＲ24が、Ｃ1〜Ｃ18ヒドロカルビルである、請求項１〜８のいずれか１項に記載の安定剤組成物。
【請求項１０】
前記クロマン系化合物が、
αトコフェロール、βトコフェロール、γトコフェロール、δトコフェロール、その異性体、関連するトコトリエノール、式（Ｖａ）
【化２０】
2015529692.tif 000020
に記載の酢酸ビタミンＥ
その異性体、および
その混合物から成る群から選択される、請求項１〜９のいずれか１項に記載の方法。
【請求項１１】
前記クロマン系化合物が、前記加工用添加剤の総重量の０．００１〜５．０重量％存在する、請求項１〜１０のいずれか１項に記載の方法。
【請求項１２】
前記クロマン系化合物が、前記加工用添加剤の総重量の０．０１〜１．０重量％存在する、請求項１１に記載の方法。
【請求項１３】
前記加工用添加剤が、ヒンダードアミン系光安定剤類、ヒンダードヒドロキシル安息香酸エステル類、ニッケルフェノレート類、紫外線安定剤類、およびその混合物から成る群から選択される光安定剤の有効量をさらに含む、請求項１〜１２のいずれか１項に記載の方法。
【請求項１４】
前記光安定剤が、式（ＶＩ）：
【化２１】
2015529692.tif 000021
（式中
Ｒ62は、水素；ＯＨ；Ｃ1〜Ｃ20ヒドロカルビル；−ＣＨ2ＣＮ；Ｃ1〜Ｃ12アシル；そしてＣ1〜Ｃ18アルコキシから成る群から選択されるメンバーから選択され；
Ｒ65は、水素；およびＣ1〜Ｃ8ヒドロカルビルから成る群から選択されるメンバーから選択され；そして
Ｒ60、Ｒ61、Ｒ63、およびＲ64の各々は、独立して、Ｃ1〜Ｃ20ヒドロカルビルから選択されるか、またはＲ60およびＲ61および／またはＲ63およびＲ64が、これらが結合している炭素と一緒になって、Ｃ5〜Ｃ10シクロアルキルを形成する）
または式（ＶＩａ）
【化２２】
2015529692.tif 000022
（式中、
ｍは、１〜２の整数であり；
Ｒ39は、水素；ＯＨ；Ｃ1〜Ｃ20ヒドロカルビル；−ＣＨ2ＣＮ；Ｃ1〜Ｃ12アシル；そしてＣ1〜Ｃ18アルコキシから成る群から選択されるメンバーから選択され；および
Ｇ1〜Ｇ4の各々は、独立して、Ｃ1〜Ｃ20ヒドロカルビルから選択される）
に記載の分子フラグメントを含むヒンダードアミン系光安定剤化合物である、請求項１３に記載の方法。
【請求項１５】
前記ヒンダードアミン系光安定剤が、ビス（２，２，６，６−テトラメチルピペリジン−４−イル）セバケート；ビス（２，２，６，６−テトラメチルピペリジン−４−イル）スクシネート；ビス（１，２，２，６，６−ペンタメチルピペリジン−４−イル）セバケート；ビス（１−オクチルオキシ−２，２，６，６−テトラメチルピペリジン−４−イル）セバケート；ビス（１，２，２，６，６−ペンタメチルピペリジン−４−イル）ｎ−ブチル３，５−ジ−ｔｅｒｔ−ブチル４−ヒドロキシベンジルマロネート；１−（２−ヒドロキシエチル）−２，２，６，６−テトラメチル−４−ヒドロキシピペリジンおよびコハク酸の縮合物；２，２，６，６−テトラメチルピペリジン−４−イルステアレート；２，２，６，６−テトラメチルピペリジン−４−イルドデカネート；１，２，２，６，６−ペンタメチルピペリジン−４−イルステアレート；１，２，２，６，６−ペンタメチルピペリジン−４−イルドデカネート；Ｎ，Ｎ’−ビス（２，２，６，６−テトラメチルピペリジン−４−イル）ヘキサメチレンジアミンおよび４−ｔｅｒｔ−オクチルアミノ−２，６−ジクロロ−１，３，５−トリアジンの縮合物；トリス（２，２，６，６−テトラメチルピペリジン−４−イル）ニトリロトリアセテート；テトラキス（２，２，６，６−テトラメチルピペリジン−４−イル）−１，２，３，４−ブタンテトラカルボキシレート；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル２−（２−ヒドロキシ−３，５−ジ−ｔｅｒｔ−ブチルベンジル）マロン酸；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；Ｎ，Ｎ’−ビス（２，２，６，６−テトラメチルピペリジン−４−イル）ヘキサメチレンジアミンおよび４−モルホリノ２，６−ジクロロ−１，３，５−トリアジンの縮合物；２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンおよび１，２−ビス−（３−アミノプロピルアミノ）エタンの縮合物；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；Ｎ，Ｎ’−ビス（２，２，６，６−テトラメチルピペリジン−４−イル）ヘキサメチレンジアミンおよび４−シクロヘキシルアミノ−２，６−ジクロロ−１，３，５−トリアジンの縮合物；１，２−ビス（３−アミノプロピルアミノ）エタン，２，４，６−トリクロロ−１，３，５−トリアジンおよび４−ブチルアミノ−２，２，６，６−テトラメチルピペリジンの縮合物；２−ウンデシル−７，７，９，９−テトラメチル−１−オキサ−３，８−ジアザ−４−オキソスピロ［４．５］デカン；オキソ−ピペランジニル−トリアジン；７，７，９，９−テトラメチル−２−シクロウンデシル−１−オキサ−３，８−ジアザ−４−オキソスピロ［４．５］デカンおよびエピクロロヒドリンの反応生成物；テトラキス（２，２，６，６−テトラメチル−４−ピペリジル）ブタン−１，２，３，４−テトラカルボキシレート；１，２，３，４−ブタンテトラカルボン酸テトラキス（１，２，２，６，６−ペンタメチル−４−ピペリジニル）エステル；１，２，３，４−ブタンテトラカルボン酸１，２，２，６，６−ペンタメチル−４−ピペリジニルトリデシルエステル；１，２，３，４−ブタンテトラカルボン酸２，２，６，６−テトラメチル−４−ピペリジニルトリデシルエステル；１，２，３，４−ブタンテトラカルボン酸と２，２，６，６−テトラメチル−２，４，８，１０−テトラオキサスピロ［５．５］−ウンデカン３，９−ジエタノールの重合体の１，２，２，６，６−ペンタメチル−４−ピペリジニルエステル；１，２，３，４−ブタンテトラカルボン酸と２，２，６，６−テトラメチル−２，４，８，１０−テトラオキサスピロ［５．５］−ウンデカン３，９−ジエタノールの重合体の２，２，６，６−テトラメチル−４−ピペリジニルエステル；炭酸ビス（１−ウンデカンオキシ−２，２，６，６−テトラメチルピペリジン−４−イル）；１−（２−ヒドロキシ−２−メチルプロポキシ）−２，２，６，６−テトラメチル−４−ピペリジノール；１−（２−ヒドロキシ−２−メチルプロポキシ）−４−オクタデカノイルオキシ−２，２，６，６−テトラメチルピペリジン；１−（４−オクタデカノイルオキシ−２，２，６，６−テトラメチルピペリジン−１−イルオキシ）−２−オクタデカノイルオキシ−２−メチルプロパン；１−（２−ヒドロキシエチル）−２，２，６，６−テトラメチル−４−ピペリジノール；１−（２−ヒドロキシエチル）−２，２，６，６−テトラメチル−４−ピペリジノールおよびジメチルスクシネートの反応生成物；２，２，４，４−テトラメチル−７−オキサ−３，２０−ジアザジスピロ［５．１．１１．２］ヘンエイコサン−２１−オン；高級脂肪酸類と２，２，６，６−テトラメチル−４−ピペリジノールのエステル；３−ドデシル−１−（２，２，６，６−テトラメチル−４−ピペリジル）ピロリジン−２，５−ジオン；１−オクタデシル−１Ｈ−ピロール−２，５−ジオンの（１−メチルエテニル）ベンゼンおよび１−（２，２，６，６−テトラメチル−４−ピペリジニル）−１Ｈ−ピロール−２，５−ジオンとの重合体；ピペラジノン，１，１’，１’’−［１，３，５−トリアジン−２，４，６−トリイルトリス［（シクロヘキシルイミノ）−２，１−エタンジイル］］トリス［３，３，５，５−テトラメチル−；ピペラジノン，１，１’，１’’−［１，３，５−トリアジン−２，４，６−トリイルトリス［（シクロヘキシルイミノ）−２，１−エタンジイル］］トリス［３，３，４，５，５−ペンタメチル−；７，７，９，９−テトラメチル−２−シクロウンデシル−１−オキサ−３，８−ジアザ−４−オキソスピロ［４．５］デカンおよびエピクロロヒドリンの反応生成物；Ｎ，Ｎ’−ビス（２，２，６，６−テトラメチルピペリジン−４−イル）ヘキサメチレンジアミンおよび４−シクロヘキシルアミノ−２，６−ジクロロ−１，３，５−トリアジンの縮合物；１，２−ビス（３−アミノプロピルアミノ）エタン、２，４，６−トリクロロ−１，３，５−トリアジンおよび４−ブチルアミノ−２，２，６，６−テトラメチルピペリジンの縮合物；Ｎ，Ｎ’−ビス（２，２，６，６−テトラメチルピペリジン−４−イル）ヘキサメチレンジアミンおよび４−モルホリノ２，６−ジクロロ−１，３，５−トリアジンの縮合物；２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンおよび１，２−ビス−（３−アミノプロピルアミノ）エタンの縮合物；２−［（２−ヒドロキシエチル）アミノ］−４，６−ビス［Ｎ−（１−シクロヘキシルオキシ−２，２，６，６−テトラメチルピペリジン−４−イル）ブチルアミノ−１，３，５−トリアジン；プロパン二酸［（４−メトキシフェニル）−メチレン］−ビス−（１，２，２，６，６−ペンタメチル−４−ピペリジニル）エステル；テトラキス（２，２，６，６−テトラメチルピペリジン−４−イル）−１，２，３，４−ブタンテトラカルボキシレート；ベンゼンプロパン酸３，５−ビス（１，１−ジメチルエチル）−４−ヒドロキシ−１−［２−［３−［３，５−ビス（１，１−ジメチルエチル）−４−ヒドロキシフェニル］−１−オキソプロポキシ］エチル］−２，２，６，６−テトラメチル−４−ピペリジニルエステル；Ｎ−（１−オクチルオキシ−２，２，６，６−テトラメチルピペリジン−４−イル）−Ｎ’−ドデシルオキサルアミド；トリス（２，２，６，６−テトラメチルピペリジン−４−イル）ニトリロトリアセテート；１，５−ジオキサスピロ｛５，５｝ウンデカン３，３−ジカルボン酸ビス（１，２，２，６，６−ペンタメチル−４−ピペリジニル）：１，５−ジオキサスピロ｛５，５｝ウンデカン３，３−ジカルボン酸ビス（２，２，６，６−テトラメチル−４−ピペリジニル）；１−（２−ヒドロキシエチル）−２，２，６，６−テトラメチル−４−ヒドロキシピペリジンおよびコハク酸の縮合物；Ｎ，Ｎ’−ビス（２，２，６，６−テトラメチルピペリジン−４−イル）ヘキサメチレンジアミンおよび４−ｔｅｒｔ−オクチルアミノ−２，６−ジクロロ−１，３，５−トリアジンの縮合物；１，２，３，４−ブタンテトラカルボン酸１，２，２，６，６−ペンタメチル−４−ピペリジニルトリデシルエステル；テトラキス（２，２，６，６−テトラメチルピペリジン−４−イル）−１，２，３，４−ブタンテトラカルボキシレート；１，２，３，４−ブタンテトラカルボン酸２，２，６，６−テトラメチル−４−ピペリジニルトリデシルエステル；テトラキス（１，２，２，６，６−ペンタメチルピペリジン−４−イル）−１，２，３，４−ブタンテトラカルボキシレート；２，２，４，４−テトラメチル−２１−オキソ−７−オキサ−３．２０−ジアザスピロ（５．１．１１．２）−ヘンエイコサン−２０−プロパン酸−ドデシルエステルおよび２，２，４，４−テトラメチル−２１−オキソ−７−オキサ−３．２０−ジアザスピロ（５．１．１１．２）−ヘンエイコサン−２０−プロパン酸−テトラデシルエステルの混合物；１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン，ヘキサヒドロ−２，６−ビス（２，２，６，６−テトラメチル−４−ピペリジニル）−；ポリメチル［プロピル−３−オキシ（２’，２’，６’，６’−テトラメチル−４，４’−ピペリジニル）］シロキサン；ポリメチル［プロピル−３−オキシ（１’，２’，２’，６’，６’−ペンタメチル−４，４’−ピペリジニル）］シロキサン；エチルアクリレートおよび２，２，６，６−テトラメチルピペリジン−４−イルアクリレートとメチルメタクリレートの共重合体；混合Ｃ20〜Ｃ24α−オレフィン類および（２，２，６，６−テトラメチルピペリジン−４−イル）コハク酸イミドの共重合体；１，２，３，４−ブタンテトラカルボン酸とβ，β，β’，β’−テトラメチル−２，４，８，１０−テトラオキサスピロ［５．５］ウンデカン３，９−ジエタノールの重合体の１，２，２，６，６−ペンタメチル−４−ピペリジニルエステル；１，２，３，４−ブタンテトラカルボン酸とβ，β，β’，β’−テトラメチル−２，４，８，１０−テトラオキサスピロ［
５．５］ウンデカン３，９−ジエタノールの重合体の２，２，６，６−テトラメチル−４−ピペリジニルエステル共重合体；１，３−ベンゼンジカルボキサミド，Ｎ，Ｎ’−ビス（２，２，６，６−テトラメチル−４−ピペリジニル；１，１’−（１，１０−ジオキソ−１，１０−デカンジイル）−ビス（ヘキサヒドロ−２，２，４，４，６−ペンタメチルピリミジン；エタンジアミド，Ｎ−（１−アセチル−２，２，６，６−テトラメチルピペリジニル）−Ｎ’−ドデシル；ホルムアミド，Ｎ，Ｎ’−１，６−ヘキサンジイルビス［Ｎ−（２，２，６，６−テトラメチル−４−ピペリジニル）；Ｄ−グルシトール，１，３：２，４−ビス−Ｏ−（２，２，６，６−テトラメチル−４−ピペリジニリデン）−；２，２，４，４−テトラメチル−７−オキサ−３，２０−ジアザ−２１−オキソ−ジスピロ［５．１．１１．２］ヘンエイコサン；プロパンアミド，２−メチル−Ｎ−（２，２，６，６−テトラメチル−４−ピペリジニル）−２−［（２，２，６，６−テトラメチル−４−ピペリジニル）アミノ］−；２，２，４，４−テトラメチル−２１−オキソ−７−オキサ−３，２０−ジアザジスピロ［５．１．１１．２］ヘンエイコサン−２０−プロパン酸ドデシルエステル；Ｎ−（２，２，６，６−テトラメチルピペリジン−４−イル）−β−アミノプロピオン酸ドデシルエステル；Ｎ−（２，２，６，６−テトラメチルピペリジン−４−イル）−Ｎ’−アミノオキサルアミド；プロパンアミド，Ｎ−（２，２，６，６−テトラメチル−４−ピペリジニル）−３−［（２，２，６，６−テトラメチル−４−ピペリジニル）アミノ］−；４−ヘキサデシルオキシ−および４−ステアリルオキシ−２，２，６，６−テトラメチルピペリジンの混合物；３−ドデシル−１−（１，２，２，６，６−ペンタメチルピペリジン−４−イル）ピロリジン−２，５−ジオン；３−ドデシル−１−（１−エタノイル−２，２，６，６−ペンタメチルピペリジン−４−イル）ピロリジン−２，５−ジオン；ビス（２，２，６，６−テトラメチルピペリジン−４−イル）スクシネート；ビス（１，２，２，６，６−ペンタメチルピペリジン−４−イル）ｎ−ブチル３，５−ジ−ｔｅｒｔ−ブチル４−ヒドロキシベンジルマロネート；トリス（２，２，６，６−テトラメチルピペリジン−４−イル）ニトリロトリアセテート；１，１’−（１，２−エタンジイル）ビス（３，３，５，５−テトラメチルピペラジノン）；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル２−（２−ヒドロキシ−３，５−ジ−ｔｅｒｔ−ブチルベンジル）マロン酸；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；８−アセチル−３−ドデシル−７，７，９，９−テトラメチル−１，３，８−トリアザスピロ［４．５］デカン−２，４−ジオン；３−ドデシル−１−（２，２���６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；２−ウンデシル−７，７，９，９−テトラメチル−１−オキサ−３，８−ジアザ−４−オキソスピロ［４．５］デカン；１，５−ジオキサスピロ｛５，５｝ウンデカン３，３−ジカルボン酸ビス（２，２，６，６−テトラメチル−４−ピペリジニル）および１，５−ジオキサスピロ｛５，５｝ウンデカン３，３−ジカルボン酸ビス（１，２，２，６，６−ペンタメチル−４−ピペリジニル）；Ｎ1−（β−ヒドロキシエチル）３，３−ペンタメチレン−５，５−ジメチルピペラジン
−２−オン；Ｎ1−ｔｅｒｔ−オクチル−３，３，５，５−テトラメチル−ジアゼピン−
２−オン；Ｎ1−ｔｅｒｔ−オクチル−３，３−ペンタメチレン−５，５−ヘキサメチレ
ン−ジアゼピン−２−オン；Ｎ1−ｔｅｒｔ−オクチル−３，３−ペンタメチレン−５，
５−ジメチルピペラジン−２−オン；ｔｒａｎｓ−１，２−シクロヘキサン−ビス−（Ｎ1−５，５−ジメチル−３，３−ペンタメチレン−２−ピペラジノン；ｔｒａｎｓ−１，
２−シクロヘキサン−ビス−（Ｎ1−３，３，５，５−ジスピロペンタメチレン−２−ピ
ペラジノン）；Ｎ1−イソプロピル−１，４−ジアザジスピロ−（３，３，５，５）ペン
タメチレン−２−ピペラジノン；Ｎ1−イソプロピル−１，４−ジアザジスピロ−３，３
−ペンタメチレン−５，５−テトラメチレン−２−ピペラジノン；Ｎ1−イソプロピル−
５，５−ジメチル−３，３−ペンタメチレン−２−ピペラジノン；ｔｒａｎｓ−１，２−シクロヘキサン−ビス−Ｎ1−（ジメチル−３，３−ペンタメチレン−２−ピペラジノン
）；Ｎ1−オクチル−５，５−ジメチル−３，３−ペンタメチレン−１，４−ジアゼピン
−２−オン；およびＮ1−オクチル−１，４−ジアザジスピロ−（３，３，５，５）ペン
タメチレン−１，５−ジアゼピン−２−オンから成る群から選択される、請求項１３または１４に記載の方法。
【請求項１６】
前記光安定剤が、２−ヒドロキシベンゾフェノン化合物、２−（２’−ヒドロキシフェニル）ベンゾトリアゾール化合物、２−（２’−ヒドロキシフェニル）−１，３，５−トリアジン化合物，およびそれらの組み合わせから成る群から選択される、紫外線吸収剤である、請求項１３に記載の方法。
【請求項１７】
前記紫外線吸収剤が、４，６−ビス−（２，４−ジメチルフェニル）−２−（２−ヒドロキシ−４−オクチルオキシフェニル）−ｓ−トリアジン；４，６−ビス−（２，４−ジメチルフェニル）−２−（２，４−−ジヒドロキシフェニル）−ｓ−トリアジン；２，４−ビス（２，４−ジヒドロキシフェニル）−６−（４−クロロフェニル）−ｓ−トリアジン；２，４−ビス［２−ヒドロキシ−４−（２−ヒドロキシ−エトキシ）フェニル］−６−（４−クロロフェニル）−ｓ−トリアジン；２，４−ビス［２−ヒドロキシ−４−（２−ヒドロキシ−４−（２−ヒドロキシ−エトキシ）フェニル］−６−（２，４−ジメチルフェニル）−ｓ−トリアジン；２，４−ビス［２−ヒドロキシ−４−（２−ヒドロキシエトキシ）フェニル］−６−（４−ブロモフェニル）−ｓ−トリアジン；２，４−ビス［２−ヒドロキシ−４−（２−アセトキシエトキシ）フェニル］−６−（４−クロロフェニル）−ｓ−トリアジン；２，４−ビス（２，４−ジヒドロキシフェニル）−６−（２，４−ジメチルフェニル）−ｓ−トリアジン；２，４−ビス（４−ビフェニル）−６−［２−ヒドロキシ−４−［（オクチルオキシカルボニル）エチリデンオキシ］フェニル］−ｓ−トリアジン；２，４−ビス（４−ビフェニル）−６−［２−ヒドロキシ−４−（２−エチルヘキシルオキシ）フェニル］−ｓ−トリアジン；２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；２，４−ビス（２，４−ジメチルフェニル）−６−［２−ヒドロキシ−４（−３−ベンジルオキシ−２−ヒドロキシプロピルオキシ）フェニル］−ｓ−トリアジン；２，４−ビス（２−ヒドロキシ−４−ｎ−ブチルオキシフェニル）−６−（２，４−ジ−ｎ−ブチルオキシフェニル）−ｓ−トリアジン；２，４−ビス（２，４−ジメチルフェニル）−６−［２−ヒドロキシ−４−（３−ノニルオキシ−２−ヒドロキシプロピルオキシ）−５−α−クミルフェニル］−ｓ−トリアジン；メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝；５：４：１の比率で３：５’位、５：５’位および３：３’位の位置で架橋したメチレン架橋二量体混合物；２，４，６−トリス（２−ヒドロキシ−４−イソオクチルオキシカルボニルイソプロピリデンオキシ−フェニル）−ｓ−トリアジン；２，４−ビス（２，４−ジメチルフェニル）−６−（２−ヒドロキシ−４−ヘキシルオキシ−５−α−クミルフェニル）−ｓ−トリアジン；２−（２，４，６−トリメチルフェニル）−４，６−ビス［２−ヒドロキシ−４−（３−ブチルオキシ−２−ヒドロキシプロピルオキシ）フェニル］−ｓ−トリアジン；２，４，６−トリス［２−ヒドロキシ−４−（３−ｓｅｃ−ブチルオキシ−２−ヒドロキシプロピルオキシ）−フェニル］−ｓ−トリアジン；４，６−ビス−（２，４−ジメチルフェニル）−２−（２−ヒドロキシ−４−（３−ドデシルオキシ−２−ヒドロキシプロポキシ）フェニル）��ｓ−トリアジンおよび４，６−ビス−（２，４−ジメチルフェニル）−２−（２−ヒドロキシ−４−（３−トリデシルオキシ−２−ヒドロキシプロポキシ）フェニル）−ｓ−トリアジンの混合物；４，６−ビス−（２，４−ジメチルフェニル）−２−（２−ヒドロキシ−４（３−（２−エチルヘキシルオキシ）−２−ヒドロキシプロポキシ）−フェニル）−ｓ−トリアジン；４，６−ジフェニル２−（４−ヘキシルオキシ−２−ヒドロキシフェニル）−ｓ−トリアジン；およびそれらの組み合わせから成る群から選択されるメンバーから選択される、２−（２’−ヒドロキシフェニル）−１，３，５−トリアジン化合物である、請求項１６に記載の方法。
【請求項１８】
前記加工用添加剤が、
ｉ）  式（ＶＩＩＩ）：
【化２４】
2015529692.tif 000023
（式中、
Ｔ1は、置換されていてもよいＣ1−Ｃ36ヒドロカルビル，置換されていてもよいＣ5−
Ｃ12シクロアルキル、および置換されていてもよいＣ7−Ｃ9アラルキルから成る群から選択されるメンバーから選択され；および
Ｔ2は、水素またはＴ1から選択される）に記載のヒドロキシルアミン化合物；および
ｉｉ）  式（ＩＸ）：
【化２５】
2015529692.tif 000024
（式中、
Ｗ1およびＷ2の各々は、独立して、直鎖または分岐鎖Ｃ6−Ｃ36アルキル、Ｃ6−Ｃ12アリール、Ｃ7−Ｃ36アラルキル、Ｃ7−Ｃ36アルカリル、Ｃ5−Ｃ36シクロアルキル、Ｃ6−Ｃ36アルクシクロアルキル；およびＣ6−Ｃ36シクロアルキルアルキルから成る群から選択されるＣ6−Ｃ36ヒドロカルビルから選択され；
Ｗ3は、直鎖または分岐鎖Ｃ1−Ｃ36アルキル、Ｃ6−Ｃ12アリール、Ｃ7−Ｃ36アラルキル、Ｃ7−Ｃ36アルカリル、Ｃ5−Ｃ36シクロアルキル、Ｃ6−Ｃ36アルクシクロアルキル；およびＣ6−Ｃ36シクロアルキルアルキルから成る群から選択されるＣ1−Ｃ36ヒドロカルビルであり；
但し、Ｗ1、Ｗ2およびＷ3の少なくとも１つは、β炭素−水素結合を含み；および
Ｗ1、Ｗ2およびＷ3の前記アルキル、アラルキル、アルカリル、シクロアルキル、アルクシクロアルキルおよびシクロアルキルアルキル基が、―Ｏ―、―Ｓ―、―ＳＯ―、―ＳＯ2―、―ＣＯＯ―、―ＯＣＯ―、―ＣＯ―、―ＮＷ4―、―ＣＯＮＷ4―および―ＮＷ4ＣＯ―から成る群から選択される１〜１６個の部分で割り込まれ得、またはＷ1、Ｗ2およびＷ3の前記アルキル、アラルキル、アルカリル、シクロアルキル、アルクシクロアルキルおよびシクロアルキルアルキル基が、―ＯＷ4、―ＳＷ4、―ＣＯＯＷ4、―ＯＣＯＷ4、―ＣＯＷ4、―Ｎ（Ｗ4）2、―ＣＯＮ（Ｗ4）2、―ＮＷ4ＣＯＷ4および―Ｃ（ＣＨ3）（ＣＨ2Ｒx）ＮＬ（ＣＨ2Ｒx）（ＣＨ3）Ｃ―基を含む５員環および６員環から成る群から選択される１〜１６個の置換基で置換され得、
Ｗ4は、水素またはＣ1〜Ｃ8アルキルから選択され；
Ｒxは、水素またはメチルから選択され；および
Ｌは、Ｃ1〜Ｃ30アルキル；−Ｃ（Ｏ）Ｒ部分、または−ＯＲ部分（式中、Ｒは、Ｃ1〜Ｃ30直鎖または分岐鎖アルキル基である）から選択され；または
Ｗ1、Ｗ2およびＷ3の前記アルキル、アラルキル、アルカリル、シクロアルキル、アルクシクロアルキルおよびシクロアルキルアルキル基が、上述の部分および/または置換基のいずれかにより割り込みと置換どちらもされ；および
Ｗ1、Ｗ2およびＷ3の前記アリール基は、ハロゲン、Ｃ1〜Ｃ8アルキル基またはＣ1〜Ｃ8アルコキシ基から独立して選択される１から３の化合物で置換され得る）
に記載の第三級アミンオキシド化合物；および
ｉｉｉ）  それらの組み合わせ
から成る群から選択される少なくとも１つの化合物をさらに含む、請求項１〜１７のいずれか１項に記載の方法。
【請求項１９】
前記式（ＶＩＩＩ）に記載の化合物が、Ｎ，Ｎ−ジベンジルヒドロキシルアミン；Ｎ，Ｎ−ジエチルヒドロキシルアミン；Ｎ，Ｎ−ジオクチルヒドロキシルアミン；Ｎ，Ｎ−ジラウリルヒドロキシルアミン；Ｎ，Ｎ−ジドデシルヒドロキシルアミン；Ｎ，Ｎ−ジテトラデシルヒドロキシルアミン；Ｎ，Ｎ−ジヘキサデシルヒドロキシルアミン；Ｎ，Ｎ−ジオクタデシルヒドロキシルアミン；Ｎ−ヘキサデシル−Ｎ−テトラデシルヒドロキシルアミン；Ｎ−ヘキサデシル−Ｎ−ヘプタデシルヒドロキシルアミン；Ｎ−ヘキサデシル−Ｎ−オクタデシルヒドロキシルアミン；Ｎ−ヘプタデシル−Ｎ−オクタデシルヒドロキシルアミン；およびＮ，Ｎ−ジ（水素化獣脂）ヒドロキシルアミンから成る群から選択されるメンバーから選択されるＮ，Ｎ−ジヒドロカルビルヒドロキシルアミンである、請求項１８に記載の方法。
【請求項２０】
前記加工用添加剤が、前記溶融加工可能な有機材料の総重量の０．００１〜６５．０重量％存在する、請求項１〜１９のいずれか１項に記載の方法。
【請求項２１】
前記加工用添加剤が、前記溶融加工可能な有機材料の総重量の０．０１〜２５重量％存在する、請求項２０に記載の方法。
【請求項２２】
前記溶融加工可能な有機材料が、製品の成形品を製造するための方法において使用するためのものである、請求項１〜２１のいずれか１に記載の方法。
【請求項２３】
前記製品の成形品を製造するための方法が、射出成形、回転成形、ブロー成形、オープンリール成形、金属射出成形、圧縮成形、トランスファー成形、浸漬成形、ガスアシスト成形、インサート射出成形、微小成形、反応射出成形、および二段階射出成形から成る群から選択される、請求項２２に記載の方法。
【請求項２４】
製品の成形品を製造するための方法が、回転成形方法である、前記請求項２３に記載の方法。